(57)【特許請求の範囲】
【請求項１】
セクタ間のハンドオーバを行う移動局によるハンドオーバ制御方法において、
ハンドオーバ元セクタの通信品質の測定結果と、基地局から指定されるハンドオーバ候補セクタの通信品質の測定結果と、の相関を計算する相関計算ステップと、
前記相関計算の結果、相関が所定のしきい値よりも大きい場合、ハンドオーバ元セクタとハンドオーバ候補セクタが同一エリアのセクタであると判断し、そのハンドオーバ候補セクタへのハンドオーバを抑制するハンドオーバ抑制ステップと、
を含むことを特徴とするハンドオーバ制御方法。
【請求項２】
前記相関計算ステップは、
前記ハンドオーバ候補セクタの通信品質の測定結果に対して、前記ハンドオーバ元セクタと前記ハンドオーバ候補セクタの基地局送信電力の違いに関する補正と、前記ハンドオーバ元セクタと前記ハンドオーバ候補セクタの周波数の違いに関する補正と、を行う補正ステップと、
前記ハンドオーバ元セクタの通信品質と前記ハンドオーバ候補セクタの補正後の通信品質との差分の２乗、を相関値として出力する相関値計算ステップと、
を含み、
前記相関値が小さいほど相関が大きいことを特徴とする請求項１に記載のハンドオーバ制御方法。
【請求項３】
前記ハンドオーバ抑制ステップは、
前記ハンドオーバ元セクタおよび前記ハンドオーバ候補セクタの通信品質を平均化する平均化ステップと、
前記相関計算の結果、相関が所定のしきい値よりも大きい場合、前記ハンドオーバ候補セクタの通信品質の平均値に対して所定のオフセット値を適用し、前記ハンドオーバ候補セクタの通信品質を、ハンドオーバの開始条件を満たさないレベルまで下げ、一方、相関が所定のしきい値以下の場合、前記ハンドオーバ候補セクタの通信品質の平均値を保持する通信品質調整ステップと、
を含むことを特徴とする請求項１または２に記載のハンドオーバ制御方法。
【請求項４】
前記しきい値およびオフセット値が書き換え可能であることを特徴とする請求項３に記載のハンドオーバ制御方法。
【請求項５】
前記しきい値およびオフセット値を、抑制対象のハンドオーバ毎に設定することを特徴とする請求項３または４に記載のハンドオーバ制御方法。
【請求項６】
前記しきい値およびオフセット値を移動局の移動速度に応じて設定することを特徴とする請求項３、４または５に記載のハンドオーバ制御方法。
【請求項７】
セクタ間のハンドオーバを行う移動局において、
ハンドオーバ元セクタの通信品質の測定結果と、基地局から指定されるハンドオーバ候補セクタの通信品質の測定結果と、の相関を算出する相関算出手段と、
前記相関計算結果に基づいて、相関が所定のしきい値よりも大きい場合、ハンドオーバ元セクタとハンドオーバ候補セクタが同一エリアのセクタであると判断し、そのハンドオーバ候補セクタへのハンドオーバを抑制するハンドオーバ条件判定手段と、
を備えることを特徴とする移動局。
【発明の詳細な説明】
【技術分野】
【０００１】
本発明は、通信中のセクタから別のセクタへ切り替えて通信を継続するためのハンドオーバ制御方法に関するものであり、特に、同一のエリアをカバーする他帯域または他システムのセクタへのハンドオーバを抑制するハンドオーバ制御方法および移動局に関するものである。
【背景技術】
【０００２】
移動通信システムでは、一般的に、サービスエリアが複数のセルに分割され、それぞれのセルに１つの基地局を設けられ、さらに、１つのセルが複数のセクタに分割されている。このようなシステムにおいて、移動局は、無線回線を介して、自局が存在するセクタに対応する基地局と通信を行う。
【０００３】
また、移動により現在通信中のセクタから隣接する別のセクタへ切り替えて通信を継続する制御を「ハンドオーバ」と呼ぶ。ハンドオーバを行う場合、移動局では、基地局から指定された隣接セクタのとまり木チャネルの品質（受信レベル等）を測定する。そして、その測定結果に基づいてハンドオーバの開始タイミングおよびハンドオーバ先を決定する。具体的には、ハンドオーバ先のセクタの測定結果とハンドオーバ元のセクタの測定結果との差が所定の値を超えたがどうかをハンドオーバの開始条件とし、移動局では、たとえば、ハンドオーバの開始条件が満たされた場合、すなわち、上記差分が所定の値を超えた場合に、基地局に対してハンドオーバ要求を送信し、基地局から送られてくるハンドオーバ指示に従って隣接セクタへ通信を切り替える。
【０００４】
また、ハンドオーバ候補の各セクタの受信レベルは、たとえば、基地局と移動局の距離の変化に伴う変動（長区間中央値変動）、地物の影響の変化に伴う数十ｍ程度の区間にわたる緩慢な変動（短区間中央値変動）、およびマルチパスの影響に伴う数十ｍ程度の区間での急激な変動（瞬時値変動）の影響を受ける。すなわち、移動中の受信レベルの測定結果は、地物やマルチパスの影響によるフェージングにより激しく変動することとなり、この測定結果を用いてハンドオーバの開始条件を判定すると、適切なハンドオーバ開始ポイントおよびハンドオーバ先を決定できない可能性がある。そのため、従来の移動通信システムにおいては、上記受信レベルの測定結果を平均化し、平均化後の測定結果を用いてハンドオーバの開始条件を判定する方法が用いられている（非特許文献１参照）。
【０００５】
また、従来技術においては、たとえば、移動局において送信電力の上限が近づき、品質劣化の可能性が高くなった場合に、ハンドオーバの開始条件を緩くすることによりハンドオーバ開始ポイントを適正化するハンドオーバ制御方式が提案されている（特許文献１を参照）。
【０００６】
また、移動通信システムでは、ユーザ数の増加に伴う無線リソースの枯渇を回避するため、複数の周波数を使うマルチバンド方式を採用している。たとえば、第２世代方式であるＰＤＣ（Personal Digital Cellar）方式では、８００ＭＨｚ帯と１．５ＧＨｚ帯の２つの帯域でサービスを行うため、他帯域へのハンドオーバ制御が必要となっている。また、第３世代の国際標準の１つであるＷ−ＣＤＭＡ（Wideband Code Division Multiple Access）方式では、２ＧＨｚ帯を複数に分割しているため、異周波帯域へのハンドオーバ制御が必要になっている。また、Ｗ−ＣＤＭＡ方式では、異周波帯域を使った他の移動通信システムへのハンドオーバ制御も規格化されている。
【０００７】
このようなマルチバンド方式では、基地局から指定されるハンドオーバ先の隣接セクタに、移動局が通信中のセクタと同一のエリアをカバーする他帯域または他システムのセクタが含まれる場合がある。
【０００８】
【非特許文献１】ARIB STANDARD「デジタル方式自動車電話システム RCR STD-27J版 第１分冊」社団法人電波産業会  平成14年5月30日  P147〜148
【特許文献１】特開平９−３２２２２２号公報  第4頁〜5頁、第4図
【発明の開示】
【発明が解決しようとする課題】
【０００９】
本来、基地局と移動局の距離の変化に伴う変動（長区間中央値変動）のみを考えれば、通信中のセクタと同一のエリアをカバーする他帯域または他システムのセクタへのハンドオーバは不要である。すなわち、通信中のセクタと同一のエリアをカバーする他帯域または他システムのセクタにおける受信レベルの測定結果は、本来、通信中のセクタの測定結果と変わらないため、ハンドオーバ開始条件を満たさないはずである。
【００１０】
しかしながら、従来の移動通信システムにおいては、フェージング等の影響により、通信中のセクタの受信レベルの測定結果とその周辺のセクタの受信レベルの測定結果が変動し、たとえば、通信中のセクタと同一のエリアをカバーする他帯域または他システムのセクタが、ハンドオーバの開始条件を満たしてしまう場合がある。そのため、移動局が、通信中のセクタと同一のエリアをカバーする他帯域または他システムのセクタに不要なハンドオーバを行い、この不要なハンドオーバにより音が途切れてしまう、という問題があった。
【００１１】
また、移動局が、通信中のセクタと同一のエリアをカバーする他帯域または他システムのセクタにハンドオーバを行った場合には、結局、ハンドオーバ後も受信品質が変わらないことになるため、通信を継続するためには再度ハンドオーバを実施する必要があり、これによりネットワークの負荷が増加する、という問題があった。
【００１２】
また、上記のような通信中のセクタと同一のエリアをカバーする他帯域または他システムのセクタへのハンドオーバの繰り返しにより、ハンドオーバ開始点が遅れ、通話断が発生しやすくなる、という問題があった。特に、上記特許文献１では、ハンドオーバの開始条件が緩くなるので、移動局が、通信中のセクタと同一のエリアをカバーする他帯域または他システムのセクタに対するハンドオーバが多く発生することになるため、ネットワークの負荷が増加し、通話断が発生する可能性が高くなる、という問題があった。
【００１３】
本発明は、上記に鑑みてなされたものであって、通信中のセクタと同一のエリアをカバーする他帯域または他システムのセクタへのハンドオーバを低減することが可能なハンドオーバ制御方法および移動局を得ることを目的とする。
【課題を解決するための手段】
【００１４】
上述した課題を解決し、目的を達成するために、本発明にかかるハンドオーバ制御方法は、セクタ間のハンドオーバを行う移動局によるハンドオーバ制御方法であって、たとえば、ハンドオーバ元セクタの通信品質の測定結果と、基地局から指定されるハンドオーバ候補セクタの通信品質の測定結果と、の相関を計算する相関計算ステップと、前記相関計算の結果、相関が所定のしきい値よりも大きい場合、そのハンドオーバ候補セクタへのハンドオーバを抑制するハンドオーバ制御ステップと、を含むことを特徴とする。
【００１５】
この発明によれば、ハンドオーバ元セクタ（自局）とハンドオーバ候補セクタ（周辺局）の通信品質の相関値を求めることにより、自局と同一のエリアをカバーする他帯域または他システムの周辺局であるかどうかを判断し、さらに、相関の大きい周辺局の通信品質に対してマイナスオフセットを適用することとした。
【発明の効果】
【００１６】
この発明によれば、自局と同一のエリアをカバーする他帯域または他システムの周辺局への不要なハンドオーバを抑制することができる、という効果を奏する。また、不要なハンドオーバを抑制可能とすることにより、移動局の音途切れを少なくすることができる、という効果を奏する。また、ネットワークのシグナリングの負荷を少なくすることができる、という効果を奏する。また、最適セルへのハンドオーバ遅れがなくなるため、移動局の通話断を少なくすることができる、という効果を奏する。
【発明を実施するための最良の形態】
【００１７】
以下に、本発明にかかるハンドオーバ制御方法および移動局の実施の形態を図面に基づいて詳細に説明する。なお、この実施の形態によりこの発明が限定されるものではない。
【００１８】
実施の形態１．
図１は、本発明にかかるハンドオーバ制御方法を実現する移動局１（ＴＤＭＡ方式とＣＤＭＡ方式で共通）の構成例を示す図であり、制御部２と、無線機回路部３と、移動速度検出部４と、を備えている。また、制御部２は、ハンドオーバ条件を判定するハンドオーバ条件判定部５と、ハンドオーバ条件の判定に用いるしきい値およびオフセット値を格納するメモリ６と、ハンドオーバ候補セクタの通信品質の測定結果の相関値を算出する相関算出部７と、を備えている。なお、メモリ６は、外部のメモリ書き換え装置８により内容を書き換え可能とする。
【００１９】
ここで、上記のように構成される移動局１の動作を図面に従って詳細に説明する。たとえば、ＰＤＣのようなＴＤＭＡ（Time Division Multiple Access）方式では、Ｒｘスロットにおいて通信中のセクタ（自局）のとまり木チャネルの通信品質（受信レベル等）を測定し、Ｉｄｌｅスロットにおいてハンドオーバ候補のセクタ（周辺局）のとまり木チャネルを測定する。図２は、ＴＤＭＡ方式におけるスロットフォーマットを示す図である。１回のＩｄｌｅスロットで測定できる周辺局の数は限られているため、すべての周辺局を測定するためには、複数回のＩｄｌｅスロットの測定が必要となる。図２では、一例として、１スロットで１つの周辺局を測定しているため、たとえば、ハンドオーバ候補となる周辺局がＮ局存在する場合は、Ｎ回にわたるＩｄｌｅスロットの測定が必要となる。
【００２０】
図３は、本実施の形態の移動局１の処理を示すフローチャートである。なお、ここでは、ＴＤＭＡ方式の移動局の処理について説明するが、ＣＤＭＡ方式の移動局においても同様の処理を実行する。また、ここでは、上記とまり木チャネルの通信品質の一例として、受信レベルを測定する場合について説明する。
【００２１】
まず、制御部２のハンドオーバ条件判定部５では、無線機回路部３から制御情報の受信結果を受け取り（ステップＳ１）、その制御情報から基地局が指定してきたハンドオーバ候補となる周辺局のリストを抽出する（ステップＳ２）。
【００２２】
つぎに、ハンドオーバ条件判定部５では、無線機回路部３に対して、通信中の自局とハンドオーバ候補となる周辺局とを測定するように指示する（ステップＳ３）。そして、無線機回路部３では、自局の受信レベルの測定結果と、たとえば、指定された周辺局＃１の受信レベルの測定結果を制御部２へ通知する（ステップＳ４）。
【００２３】
つぎに、制御部２の相関算出部７では、通知された自局の受信レベルと周辺局＃１の受信レベルとの相関値を計算し（ステップＳ５）、その相関値と、上記自局および周辺局＃１の受信レベルと、をハンドオーバ条件判定部５へ通知する（ステップＳ６）。
【００２４】
つぎに、ハンドオーバ条件判定部５では、受け取った上記自局と周辺局＃１の受信レベルを平均化する（ステップＳ７）。さらに、ハンドオーバ条件判定部５では、移動速度検出部８から定期的に報告される移動速度情報（図４に示す静止，低速，高速に対応）に基づいて（ステップＳ８）、受け取った相関値と、メモリ６に格納された所定のしきい値と、を比較し、たとえば、相関値がしきい値以下の場合に、メモリ６に格納されたオフセット値を適用し（ステップＳ９）、上記で求めた受信レベルの平均値を下げる（補正）。図４は、メモリ６に格納されたしきい値およびオフセット値の一例を示す図である。上記メモリ６に格納されたしきい値およびオフセット値は、たとえば、メモリ書き換え装置７によって変更可能な構成とする。図４中の各値は、他帯域へのハンドオーバ，他システムへのハンドオーバ、といった目的や移動局の移動速度（静止，低速，高速）に応じて設定可能とする。一例として、ＰＤＣ（８００ＭＨｚ）の移動局１は、高速移動中に、受け取った相関値と、メモリ６に格納されたしきい値：Ｔｈ１３と、を比較し、相関値がしきい値：Ｔｈ１３以下の場合、指定された周辺局が自局と同一のエリアをカバーする他帯域のセクタであると判断し、メモリ６に格納されたオフセット値：Ｏｆｆｓｅｔ１３を適用し（ステップＳ９）、ステップＳ７で求めた受信レベルの平均値を下げる（図４参照）。
【００２５】
一方で、相関値が所定のしきい値よりも大きい場合は、上記ステップ７で求めた受信レベルの平均値を保持する。なお、移動速度検出部８による移動速度の検出方法は、フェージングピッチ検出といった既知の技術を適用する。
【００２６】
上記ステップＳ４〜ステップＳ９の処理を上記指定された全局（＃２〜＃Ｎ）に対して実施後、つぎに、ハンドオーバ条件判定部５では、自局の受信レベルの平均値と周辺局の受信レベルの平均値（補正していない場合，補正している場合の両方を含む）と、を比較し、ハンドオーバ条件を満たしているかどうか（自局の受信レベルの平均値と周辺局の受信レベルの平均値との差分が特定の値を超えたがどうか）を判定する（ステップＳ１０）。
【００２７】
つづいて、ＴＤＭＡ方式において、自局と同一のエリアをカバーする他帯域のセクタ（周辺局）へのハンドオーバを抑制する場合の相関値の計算処理（ステップＳ５に対応）について説明する。図５は、ＴＤＭＡ方式で用いられている３スロット多重のスロットフォーマット、および相関値の計算処理を示す図である。たとえば、Ｒｘスロットで測定した自局の受信レベルＭｅａｓ（１）と、Ｒｘスロットと連続するＩｄｌｅスロットで測定した周辺局（＃１〜＃Ｎのいずれか１つ）の受信レベルＭｅａｓ（２）と、を受け取った相関算出部７では（ステップＳ２１）、まず、Ｍｅａｓ（２）に対して、自局の基地局送信電力と周辺局の基地局送信電力の違いに関する補正を行い、Ｍｅａｓ（２）´を算出する（ステップＳ２２）。つぎに、自局の周波数と周辺局の周波数の違いに関する補正を行い、Ｍｅａｓ（２）´´を算出する（ステップＳ２３）。そして、Ｍｅａｓ（１）とＭｅａｓ（２）´´の差分の２乗を計算した値を相関値として出力する（ステップＳ２４）。本実施の形態では、この相関値が小さいほど相関が大きいとみなす。
【００２８】
つづいて、ＴＤＭＡ方式において、上記相関値を用いて、自局と同一のエリアをカバーする他帯域のセクタ（周辺局）であるかどうかを判定する処理（ステップＳ９に対応）を説明する。たとえば、受信レベルは、基地局と移動局の距離の変化に伴う変動（長区間中央値変動）、地物の影響の変化に伴う数十ｍ程度の区間にわたる緩慢な変動（短区間中央値変動）、マルチパスの影響に伴う数十ｍ程度の区間での急激な変動（瞬時値変動）の影響を受ける。また、自局と、自局と同一のエリアをカバーする他帯域のセクタ（周辺局）と、を比較すると、移動局と基地局の距離は同じなので、長区間中央値変動は一致する。また、移動局と基地局との間の地物の影響も同じなので、短区間中央値変動も一致する。しかしながら、測定するタイミングが若干異なるため、マルチパスの影響が異なることとなり、瞬時値変動は一致しない。
【００２９】
また、瞬時値変動が一致しない場合であっても、移動速度が遅ければ空間相関が大きくなるため、瞬時値変動がそれほど大きく異なることはないが、一方で、高速で移動する場合は、瞬時値変動が大きく異なることになる。したがって、本実施の形態では、移動速度に応じて、しきい値およびオフセット値を設定する（図４参照）。これにより、自局と同一のエリアをカバーする他帯域のセクタの推定精度を維持する。
【００３０】
また、自局の受信レベルの測定結果と、自局と同一のエリアをカバーする他帯域のセクタ（周辺局）の受信レベルの測定結果と、の差の２乗を計算する（ステップＳ２４に対応）と、瞬時値変動の差分だけが残るが、自局の受信レベルの測定結果と、他のエリアをカバーする周辺局の受信レベルの測定結果と、の差分の２乗を計算する（ステップＳ２４に対応）と、瞬時値変動の差分以外の差分も存在することになるため、計算された相関値はより大きくなる。すなわち、より相関が小さいことがわかる。したがって、ハンドオーバ条件判定部５では、上記相関値と所定のしきい値との大小比較によって、自局と同一のエリアをカバーする他帯域のセクタ（周辺局）であるかどうかを判定することができる（ステップＳ９の比較処理に対応）。
【００３１】
ただし、長区間中央値の振る舞いは、基地局送信電力によって異なるので、上記各測定結果の差分の２乗を計算する前に、基地局送信電力の違いを吸収する補正を行う必要がある（ステップＳ２２に対応）。たとえば、基地局送信電力が２Ｗと４Ｗの場合、約３ｄＢの補正が必要となる。
【００３２】
また、長区間中央値および短区間中央値の振る舞いは、周波数によって異なるので、差分の２乗を計算する前に、周波数の違いを吸収する補正を行う必要がある。たとえば、長区間中央値が自由空間伝搬損（１０＊ｌｏｇ（４πｄ／λ）2：ｄは距離を表し、λは波長を表す）に従うとすると、周波数が８００ＭＨｚと１．５ＧＨｚの場合、約０．５５ｄＢの補正が必要となる。
【００３３】
つづいて、ＣＤＭＡ方式において、自局と同一のエリアをカバーする他帯域のセクタ（周辺局）へのハンドオーバを抑制する場合の相関値の計算処理（ステップＳ５に対応）について説明する。図６は、ＣＤＭＡ方式で用いられている異周波数間ハンドオーバ時のスロットフォーマット、および相関値の計算処理を示す図である。たとえば、Ｒｘスロットで測定した自局の受信レベルＭｅａｓ（１）と、Ｒｘスロットと連続する「Transmission Gap」で測定した周辺局（＃１〜＃Ｎのいずれか１つ）の受信レベルＭｅａｓ（２）と、を受け取った相関算出部７では（ステップＳ３１）、まず、Ｍｅａｓ（２）に対して、自局の基地局送信電力と周辺局の基地局送信電力の違いに関する補正を行い、Ｍｅａｓ（２）´を算出する（ステップＳ２２）。つぎに、自局の周波数と周辺局の周波数の違いに関する補正を行い、Ｍｅａｓ（２）´´を算出する（ステップＳ２３）。そして、Ｍｅａｓ（１）とＭｅａｓ（２）´´の差分の２乗を計算した値を相関値として出力する（ステップＳ２４）。ここでも、ＴＤＭＡ方式と同様、この相関値が小さいほど相関が大きいとみなす。
【００３４】
なお、Ｗ−ＣＤＭＡでは、基地局から報知される他セクタの基地局送信電力に基づいて、基地局送信電力の違いを吸収するための補正を行う（ステップＳ３２に対応）。また、自局と同一のエリアをカバーする他帯域のセクタ（周辺局）であるかどうかを判定する処理（ステップＳ９に対応）については、上記ＦＤＭＡ方式の場合と同様である。
【００３５】
つづいて、ＣＤＭＡ方式において、自局と同一のエリアをカバーする他システムのセクタ（周辺局）へのハンドオーバを抑制する場合の相関値の計算処理（ステップＳ５に対応）について説明する。図７は、ＣＤＭＡ方式で用いられているシステム間ハンドオーバ時のスロットフォーマット、および相関値の計算処理を示す図である。たとえば、Ｒｘスロットで測定した自局の受信レベルＭｅａｓ（１）と、Ｒｘスロットと連続する「Transmission Gap」で測定した周辺局（＃１〜＃Ｎのいずれか１つ）の受信レベルＭｅａｓ（２）と、を受け取った相関算出部７では（ステップＳ４１）、まず、Ｍｅａｓ（２）に対して、自局の基地局送信電力と周辺局の基地局送信電力の違いに関する補正を行い、Ｍｅａｓ（２）´を算出する（ステップＳ２２）。つぎに、自局の周波数と周辺局の周波数の違いに関する補正を行い、Ｍｅａｓ（２）´´を算出する（ステップＳ２３）。そして、Ｍｅａｓ（１）とＭｅａｓ（２）´´の差分の２乗を計算した値を相関値として出力する（ステップＳ２４）。ここでも、ＴＤＭＡ方式と同様、この相関値が小さいほど相関が大きいとみなす。
【００３６】
なお、自局と同一のエリアをカバーする他システムのセクタ（周辺局）であるかどうかを判定する処理（ステップＳ９に対応）については、上記ＴＤＭＡ方式の場合と同様である。
【００３７】
以上のように、本実施の形態においては、自局と周辺局の受信レベルの相関値を求めることにより、自局と同一のエリアをカバーする他帯域または他システムのセクタであるかどうかを判断し、さらに、目的（他帯域へのハンドオーバ，他システムへのハンドオーバ）や移動速度に基づく所定のしきい値以下の周辺局の測定結果（受信レベル）に対して、マイナスオフセットを適用することとした。これにより、図８に示すように、自局と同一のエリアをカバーする他帯域または他システムのセクタへの不要なハンドオーバを抑制することができる。図８は、不要なハンドオーバが抑制されている様子を示す図であり、たとえば、周辺局の受信レベルに対してマイナス補正を行った結果、自局と周辺局の受信レベルの差分が、ハンドオーバを行うためのしきい値以下となる様子が記載されている。
【００３８】
また、本実施の形態においては、不要なハンドオーバを抑制可能とすることにより、移動局の音途切れを少なくすることができる。また、ネットワークのシグナリングの負荷を少なくすることができる。また、最適セルへのハンドオーバ遅れがなくなるため、移動局の通話断を少なくすることができる。
【００３９】
また、本実施の形態においては、しきい値およびオフセット値を、他帯域へのハンドオーバ，他システムへのハンドオーバといった目的毎に設定する。これにより、本来、補正すべき値が、現行の標準規格では不明な場合であっても、フィールド評価などで得られた値を設定することによって、自局と同一のエリアをカバーする他帯域または他システムのセクタを高精度に推定することができる。また、上記目的に加えて、さらに移動速度に応じて、しきい値およびオフセット値を設定することとした。これにより、移動速度が速いために瞬時値変動が無相関になる場合であっても、自局と同一のエリアをカバーする他帯域または他システムのセクタを高精度に推定することができる。
【００４０】
なお、上記本実施の形態の図５〜図７では、１回の受信レベルの測定結果により相関値を算出し、この相関値を用いて、自局と同一のエリアをカバーする他帯域または他システムのセクタを推定していたが、これに限らず、たとえば、Ｎ回の受信レベルの測定結果に基づいて算出された相関値を平均した値を用いて（図９、ステップＳ２５）、上記推定処理を行うこととしてもよい。図９は、一例として、ＴＤＭＡ方式で用いられている３スロット多重のスロットフォーマット、および相関値の計算処理を示す図である。この場合、受信レベルの測定回数：Ｎはメモリ書き換え装置７にて設定可能とし、メモリ６に格納される。これにより、自局と同一のエリアをカバーする他帯域または他システムのセクタの推定誤りを低減できる。なお、上記ステップＳ２５の処理については、図５に限らず、図６，図７においても適用可能である。
【００４１】
また、上記本実施の形態の図３では、１回の相関値判定によりオフセットの適用要否を判定していた（ステップＳ９）が、これに限らず、たとえば、Ｎ回の相関値判定でオフセットの適用が必要と判断された回数によって、適用するオフセット値を変えることとしてもよい。図１０は、オフセット適用の変形例を示す図である。たとえば、オフセット増分を２ｄＢとし、Ｎ回の相関値判定でＭ＝１回だけオフセットの適用が必要と判断された場合は（ステップＳ５１）、１回×２ｄＢ＝２ｄＢのオフセットが適用され（ステップＳ５２，Ｓ５３）、Ｍ＝２回だけオフセットの適用が必要と判断された場合は（ステップＳ５１）、２回×２ｄＢ＝４ｄＢのオフセットが適用され（ステップＳ５２，Ｓ５３）、オフセットの適用が必要と判断された回数に応じてオフセットを変更する。これにより、自局と同一のエリアをカバーする他帯域または他システムのセクタの推定誤りをさらに低減できる。なお、図１０を適用する場合、図４のオフセットはオフセット増分とし、メモリ書き換え装置７にて設定する。また、受信レベルの測定回数：Ｎについてもメモリ書き換え装置７にて設定する。
【産業上の利用可能性】
【００４２】
以上のように、本発明にかかるハンドオーバ制御方法は、ハンドオーバを行うことで通信を継続する移動局に有用であり、特に、通信中のセクタと同一のエリアをカバーする他帯域または他システムのセクタへのハンドオーバを抑制する移動局に適している。
【図面の簡単な説明】
【００４３】
【図１】本発明にかかるハンドオーバ制御方法を実現する移動局の構成例を示す図である。
【図２】ＴＤＭＡ方式におけるスロットフォーマットを示す図である。
【図３】移動局の処理を示すフローチャートである。
【図４】メモリに格納されたしきい値およびオフセット値の一例を示す図である。
【図５】ＴＤＭＡ方式で用いられている３スロット多重のスロットフォーマット、および相関値の計算処理を示す図である。
【図６】ＣＤＭＡ方式で用いられている異周波数間ハンドオーバ時のスロットフォーマット、および相関値の計算処理を示す図である。
【図７】ＣＤＭＡ方式で用いられているシステム間ハンドオーバ時のスロットフォーマット、および相関値の計算処理を示す図である。
【図８】不要なハンドオーバが抑制されている様子を示す図である。
【図９】ＴＤＭＡ方式で用いられている３スロット多重のスロットフォーマット、および相関値の計算処理を示す図である。
【図１０】オフセット適用の変形例を示す図である。
【符号の説明】
【００４４】
１  移動局
２  制御部
３  無線機回路部
４  移動速度検出部
５  ハンドオーバ条件判定部
６  メモリ
７  相関算出部
【図１】
0004659385.tif 000002
【図２】
0004659385.tif 000003
【図３】
0004659385.tif 000004
【図４】
0004659385.tif 000005
【図５】
0004659385.tif 000006
【図６】
0004659385.tif 000007
【図７】
0004659385.tif 000008
【図８】
0004659385.tif 000009
【図９】
0004659385.tif 000010
【図１０】
0004659385.tif 000011